(57)【要約】      （修正有）【課題】梱包箱に密封状態で貼り付けた場合であっても、書類を容易に取り出すことができ、書類を取り出した後の見栄えをよくしておくことができ、更に、取り出した書類を、再び収納して保管することができる袋を提供する。【解決手段】外面側に接着剤層を有する後シート部３と、後シート部３に対向する前シート部２とを備え、前シート部２には、前シート部２を破断するための破断線４が設けられている。【選択図】図１
0003137588.tif 000002
【実用新案登録請求の範囲】
【請求項１】
外面側に接着剤層を有する後シート部と、該後シート部に対向する前シート部とを備え、前シート部には、該前シート部を破断するための破断線が設けられていることを特徴とする袋。
【請求項２】
前記後シート部には、該後シート部側から収納物を出し入れするための切れ目が設けられていることを特徴とする請求項１に記載の袋。
【請求項３】
前記破断線が設けられている位置は、前記切れ目が設けられている位置に対応していることを特徴とする請求項２に記載の袋。
【請求項４】
前記接着剤層は、前記後シート部の外面のうち帯状の剥離開始部を除く略全面に亘って設けられており、前記剥離開始部には、後シート部側から収納物を出し入れするための切れ目が設けられており、前記破断線は、当該切れ目に対応した位置に設けられていることを特徴とする請求項１乃至３の何れかに記載の袋。
【考案の詳細な説明】
【技術分野】
【０００１】
本考案は、収納物としての例えば領収書や納品書などの書類を収納、保管するのに適した袋に関する。
【背景技術】
【０００２】
従来、例えば、複数の製品や商品などを梱包箱に箱詰めした梱包体を配送する際に、納品書や領収書等の所定の書類を付随させるべく、対向する前後シート部を有する袋に当該書類を収納物として収納して袋体とし、該袋体を前記梱包体とは別に独立して配送するといったことがなされていた。かかる配送に際しては、梱包体の配送費に加えて、袋体の配送費が別途必要となり、その分だけ配送費用が嵩んでしまう。
【０００３】
そこで、前記袋体を密封状態となるように梱包箱に貼り付けて梱包体と共に配送して配送費用を低減させることが考えられる。
【考案の開示】
【考案が解決しようとする課題】
【０００４】
しかしながら、袋体を密封状態で梱包箱に貼り付けると、袋体から前記書類を取り出すために袋を引きちぎって開封しなければならない。そうすると、書類の取り出し作業が煩雑となり、また、書類を取り出した袋の見栄えが悪くなる。しかも、取り出した書類を保管するために袋を再利用することができなくなってしまう虞がある。
【０００５】
そこで、本考案は、上記実情に鑑みてなされ、梱包箱に密封状態で貼り付けた場合であっても、書類を容易に取り出すことができ、書類を取り出した後の見栄えをよくしておくことができ、更に、取り出した書類を、再び収納して保管することができる袋を提供することを課題とする。
【課題を解決するための手段】
【０００６】
本考案は、上記課題を解決すべくなされたものであり、本考案に係る袋は、外面側に接着剤層を有する後シート部と、該後シート部に（内面同士で）対向する前シート部とを備え、前シート部には、該前シート部を破断するための破断線が設けられていることを特徴とする。
【０００７】
該構成の袋にあっては、後シート部の外面側に接着剤層が設けられているので、例えば、領収書や納品書等の書類を袋内に収納した袋体を、製品や商品などが箱詰めされてなる梱包体の梱包箱の表面に、前記接着剤層を介して貼り付けて梱包体と共に配送することができる。
【０００８】
ここで、前シート部には破断線が設けられているので、袋体を前記梱包箱に密封状態で貼り付けた場合であっても、前記破断線に沿って前シート部を破断することができ、当該破断線に沿った開口を前シート部に形成することができる。
【０００９】
特に、前記後シート部には、該後シート部側から収納物を出し入れするための切れ目が設けられていることが好ましい。このようにすると、切れ目から収納物としての前記書類を収納した袋体を前記接着剤層を介して梱包箱に貼り付けた状態で、当該切れ目が接着面側に位置することとなるので、収納した書類が配送途中に不用意に切れ目から飛び出すのを防止することができる。
【００１０】
また、前記破断線が設けられている位置は、前記切れ目が設けられている位置に対応していることが好ましく、前記接着剤層を介して梱包箱に袋を貼り付けた状態において、前記破断線と前記切れ目とが重なって見えるので見栄えがよくなる。
【００１１】
更に、前記接着剤層は、前記後シート部の外面のうち帯状の剥離開始部を除く略全面に亘って設けられており、前記剥離開始部には、該後シート部側から収納物を出し入れするための切れ目が設けられており、前記破断線は、前記切れ目に対応した位置に設けられていることが好ましい。
【００１２】
切れ目を閉じた状態で袋を確実に梱包箱に貼り付けることができ、しかも、貼り付けた状態において、前記破断線と前記切れ目とが重なって見えるので見栄えがよくなる。更に、破断線にて前シート部を破断した後の前シート部側からの前記書類の出し入れ作業が容易になる。
【考案の効果】
【００１３】
このように、本考案に係る袋にあっては、後シート部の外面側に接着剤層が設けられ、前シート部に破断線が設けられているので、前記書類を袋内に収納して袋体を形成し、該袋体を前記梱包箱の表面に前記接着剤層を介して貼り付けることができ、また、袋体から書類を取り出す場合に、当該袋体が密封状態で梱包箱に貼り付けられていても、前記破断線に沿って前シート部を破断して書類を取り出すための開口を形成することができる結果、袋内の書類を容易に取り出すことができ、書類を取り出した後の袋の見栄えをよくすることができ、更に、取り出した書類を、前記開口から袋内に再び収納して保管することができるという効果を奏する。
【考案を実施するための最良の形態】
【００１４】
以下、本考案に係る袋の一実施形態について図面を参酌しつつ説明する。
図１に、本実施形態における袋１が示されている。該袋１は、収納物としての例えば領収書や納品書などの書類Ｐを収納、保管するのに適したものであり、方形の前シート部２と、該前シート部２に対向する後シート部３とを備える。該袋１は、一対の前後シート部２，３を互いの内面同士を対向させて各々の周縁部を互いに接着することにより袋１状に形成されてなる。具体的には、袋１は、略四角形状の合成樹脂シートを前後に２枚重ね合わせ、それらの両側端部同士２１，３１及び上下端部同士２２，３２をそれぞれヒートシールして接着することにより形成されている。
【００１５】
前後シート部２，３は、合成樹脂からなるシートであり、例えば、ポリエチレン等の熱融着性樹脂シートである。本実施形態では、前後シート部２，３は、図１及び２に示すように、略正方形であり、その各辺の長さ及び厚みは、適宜設定することができる。尚、前後シート部２，３の形状は、六角形や三角形などの各種多角形、楕円形、円形等でもよい。また、前後シート部２，３は、同じ形状とする必要はなく、例えば、前シート部２の上下方向の長さが後シート部３の上下方向の長さよりも短く（又は、長く）する、或いは、前シート部２の幅方向の長さが後シート部３の幅方向の長さよりも短く（又は、長く）することもできる。
【００１６】
前シート部２には、該前シート部２を破断するための破断線４が設けられている。この破断線４は、図１に示すように、前シート部２を厚み方向に貫通する貫通溝４１を、ミシン目状（鎖線状）に連続させて形成されている。本実施形態では、破断線４は、直線状に形成されており、前シート部２の上端部２２に設けられ、しかも、前シート部２の幅方向全域に亘って設けられている。
【００１７】
尚、破断線４は、前記貫通溝４１にて形成される場合に限らず、例えば前シート部２を貫通しない非貫通溝（ハーフ溝）にて形成してもよい。或いは、破断線４は、前記非貫通溝を前シート部２の幅方向全域に亘って直線状に設けて形成することもできる。更には、破断線４は、熱板にて前シート部２を押圧して形成される溶着溝にて形成することもできる。この溶着溝は、熱板にて押圧された部分が帯状又は筋状の硬いシワとなることで形成される。また、破断線４は、曲線状に形成することも可能であるし、或いは、前シート部２の幅方向の一部に亘るように設けることもできる。
【００１８】
後シート部３には、収納物としての領収書又は納品書などの書類Ｐを出し入れするための切れ目５が設けられている。この切れ目５は、後シート部３を厚み方向に貫通する貫通溝５１を直線状に設けることによって形成されている。また、切れ目５は、後シート部３の上端部３２に設けられ、しかも、後シート部３の幅方向全域に亘って設けられている。本実施形態では、前シート部２に設けられている破断線４と、後シート部３に設けられている切れ目５とは、対応した位置となっている。即ち、破断線４の上下方向の位置と、切れ目５の上下方向の位置とは、略同じ位置となっている。
【００１９】
後シート部３の外面側には、図２に示すように、接着剤層６が設けられている。この接着剤層６は、後シート部３の外面３４に層状に形成されている。本実施形態では、接着剤層６は、後シート部３の外面３４のうち帯状の剥離開始部７を除く略全面に亘って設けられている。換言すると、接着剤層６は、後シート部３の外面略全域に設けられているが、上端部に、所定の一定幅にて後シート部３の幅方向全域に亘って接着剤が塗布されていない剥離開始部７が形成されている。即ち、接着剤層６は、帯状の剥離開始部７を介して上下両側６１，６２に分かれて形成されている。
【００２０】
ここで、かかる剥離開始部７に前記切れ目５が設けられている。従って、前シート部２に設けられている破断線４は、後シート部３に設けられている剥離開始部７に対応して設けられている。尚、接着剤層６は、図２において網掛けにて示している。
【００２１】
接着剤層６は、接着剤、粘着剤、又は溶剤等を用いて形成することができ、本実施形態では、粘着剤を用いて形成している。また、接着剤層６の厚みは、適宜設定可能であるが、例えば、５μｍ乃至４０μｍであり、特に２０μｍであるのが好ましい。また、接着剤層６の外面側には、その全体を覆うように離型紙（図示しない）が設けられる。
【００２２】
続いて、以上のような構成の袋１の使用方法を、図３を参酌しつつ説明する。
【００２３】
まず、後シート部３側から収納物としての領収書や納品書等の書類Ｐを、袋１の内部に収納して袋体とする。具体的には、後シート部３の切れ目５を開いて開口させ、そこから前記書類Ｐを収納して袋体を形成する。ここで、切れ目５が後シート部３の上端部３２に設けられているため、書類Ｐは、その全体が袋１の内部に収納される。
【００２４】
そして、接着剤層６の外面側に設けられている離型紙を剥離開始部７を起点に剥し、表出した接着剤層６を介して例えば製品や商品等を梱包してなる梱包体Ｑの梱包箱Ｑ１の表面に貼り付ける。
【００２５】
ここで、接着剤層６は、後シート部３の外面３４に剥離開始部７を介して上下両側６１，６２に分かれて設けられており、この剥離開始部７に切れ目５が設けられているので、切れ目５の上下両側６１，６２が梱包箱Ｑ１に貼り付けられることとなり、袋１が切れ目５から不用意に開かないように密封して貼り付けることができる。
【００２６】
そして、袋１内部の前記書類Ｐを取り出す場合には、前シート部２を破断線４に沿って破断して袋１を開口させ、該開口から内部の書類Ｐ等を取り出す。
【００２７】
以上のような構成の袋１にあっては、後シート部３の外面側に接着剤層６が設けられ、前シート部２に破断線４が設けられているので、前記袋体を前記梱包箱Ｑ１の表面に前記接着剤層６を介して貼り付けることができる。また、袋体から書類Ｐを取り出す場合には、袋体が梱包箱Ｑ１に密封状態で貼り付けられていても、前記破断線４に沿って前シート部２を破断して書類Ｐを取り出すための開口を形成することができる。従って、袋１内の書類Ｐを容易に取り出すことができ、書類Ｐを取り出した後の袋１の見栄えをよくすることができ、更に、取り出した書類Ｐを、前記破断線４に沿って破断して形成される前シート部２の開口から袋１内に再び収納して保管することができる。
【００２８】
また更に、破断線４は、前記貫通溝４１をミシン目状（鎖線状）に連続させて形成されているので、前シート部２を破断線４に沿ってきれいに且つ容易に破断することができる。
【００２９】
また、前記破断線４が設けられている位置は、前記切れ目５が設けられている位置に対応しているので、前記貼り付け状態において、前記破断線４と前記切れ目５とが重なって見えるので見栄えがよくなる。また、前記破断線４は前シート部２の上端部２２に、前記切れ目５は後シート部３の上端部３２に、それぞれ設けられているので、破断線４或いは切れ目５からの前記書類Ｐの出し入れ作業が容易になる
【００３０】
更に、袋体を梱包箱Ｑ１に貼り付けた状態においては、切れ目５が接着面側に位置することとなるので、収納した書類Ｐが配送途中に不用意に切れ目５から飛び出すのを防止することができる。
【００３１】
また、後シート部３の外面３４には剥離開始部７が設けられているので、そこから簡単に離型紙を剥がすことができる。
【００３２】
また、接着剤層６は、後シート部３の外面３４のうち剥離開始部７を除く略全域に亘って設けられているので、後シート部３の外面側全域を梱包箱Ｑ１に貼り付けることができ、袋体を強固に貼り付けることができる。
【図面の簡単な説明】
【００３３】
【図１】本考案の一実施形態に係る袋を示す正面図。
【図２】同袋の背面図。
【図３】同袋を梱包箱に貼り付けた状態を示す斜視図。
【符号の説明】
【００３４】
１…袋、２…前シート部、３…後シート部、４…破断線、５…切れ目、６…接着剤層、７…剥離開始部、３４…後シート部の外面、Ｐ…書類、Ｑ…梱包体、Ｑ１…梱包箱
【図１】
0003137588.tif 000003
【図２】
0003137588.tif 000004
【図３】
0003137588.tif 000005